(57)【特許請求の範囲】
【請求項１】
ピクチャレール（１）の端部に取り付けるエンドキャップ（２）であって、前記ピクチャレールは底面に開口するスリット（５）を備えたフック室（４）を有し、前記フック室は長手方向に前記ピクチャレールを貫通し、かつ内挿されて前記スリットから垂下するフック（６）を長手方向摺動可能に上下方向遊動可能に収容し、前記エンドキャップは底面に開口して前記フックが上下方向に出入可能なフック出入口（９）を有し、前記フック出入口は前記スリットと同幅で高さが前記スリットよりも高い段差部（１１）を有する連通路（１０）を介して前記フック室と連通し、前記段差部の前記スリットに対する段差は前記フック室内の前記フックの上下遊動幅以下であることを特徴とするピクチャレール用エンドキャップ。
【請求項２】
ピクチャレール（１）の端部に取り付けるエンドキャップ（１２）であって、前記ピクチャレールは底面に開口するスリット（５）を備えたフック室（４）を有し、前記フック室は長手方向に前記ピクチャレールを貫通し、かつ内挿されて前記スリットから垂下するフック（６）を長手方向摺動可能に上下方向遊動可能に収容し、前記フックの頭部（７）は上下幅が水平方向幅よりも小さく、前記エンドキャップは底面に開口して前記頭部が水平横向きのときに、上下方向に出入可能なフック出入口（１３）を有し、前記フック出入口は直接前記フック室と連通することを特徴とするピクチャレール用エンドキャップ。
【請求項３】
ピクチャレール（１）の端部に取り付けるエンドキャップ（１４）であって、前記ピクチャレールは底面に開口するスリット（５）を備えたフック室（４）を有し、前記フック室は長手方向に前記ピクチャレールを貫通し、かつ内挿されて前記スリットから垂下するフック（６）を長手方向摺動可能に収容し、前記エンドキャップは  底面に前記フックが上下方向に出入可能なフック出入口（１５）を有し、前記フック出入口は直接前記フック室と連通し、前記フック出入口は  内部に下から押し上げると弾性的にはね上がるストッパ（１６）を備えることを特徴とするピクチャレール用エンドキャップ。
【発明の詳細な説明】
【０００１】
【発明の属する技術分野】
本発明は額等を吊り下げるために使用するピクチャレールのエンドキャップに関する。
【０００２】
【従来の技術】
壁面の上端等に設置されるピクチャレールは、長手方向に貫通し底面にスリットとして開口するフック室を有する。ピクチャレールの端面からフック室に内挿したフックは、頭部がフック室内を摺動し先端がスリットから垂下して突出する。内挿したフックが端面から自然に脱落しないようにピクチャレールの端部にエンドキャップを止めねじ等を介して固定する。
【０００３】
従来のエンドキャップをピクチャレールの端部に固定すると、頭部をスリットから出入可能にする機構を備えたフック以外はピクチャレールに後入れ、後出しすることができなかった。又、スリットから出入可能な機構を備えたフックは調整操作を誤ると、フックがピクチャレールから脱落する危険があるという問題があった。このため、エンドキャップをピクチャレールに取り付けた後も、通常のフックを後入れ後出しすることができるエンドキャップが要望されていた。
【０００４】
【発明が解決しようとする課題】
本発明はこの要望に応えるものであり、その課題は、長手方向に貫通し底面にスリットとして開口するフック室を備えたピクチャレールの端部に固定するエンドキャップであって、内挿したフックの脱落を防止すると共に、通常のフックの後入れ後出しも可能であるものを提供することにある。
【０００５】
【課題を解決するための手段】
前記課題を解決するため本発明が採用する手段は、エンドキャップの底面に開口するフック出入口を設け、そのフック出入口をピクチャレールのフック室と連通させ、フックを操作するとエンドキャップを通してピクチャレールに脱着することができるが、フックが自然にフック出入口に入ることはできないようにしたことにある。
【０００６】
第１の手段としては、フックの頭部が上下に挿入可能に形成したフック出入口を、ピクチャレールのフック室に内幅がピクチャレールのスリットと同幅で、高さがスリットよりも少し高い段差部を有する連通路を介して接続する。フック出入口において、フックが段差部を越えるように操作すると、フックはエンドキャップを通ってピクチャレールに脱着する。
【０００７】
第２の手段としては、フック出入口を、フックの頭部を水平横向きにしたときにのみ挿入可能に形成する。フック出入口において、フックを水平横向きにして挿入し、ついで垂直に回す操作をすることにより、フックはエンドキャップを経由してピクチャレールに脱着する。
【０００８】
第３の手段としては、フック出入口をフックの頭部が上下に挿入可能に形成し、そのフック出入口に下から押すと弾性的にはね上がる板ばね状のストッパを設ける。フック出入口において、フック又はドライバでストッパをはね上げる操作をすることにより、フックはエンドキャップを経由してピクチャレールに脱着する。
【０００９】
【発明の実施の形態】
本発明のエンドキャップを図面に示す第１実施例に基づいて説明する。
【００１０】
図１は第１実施例を備えたピクチャレールの正面図、図２は図１のＩＩ−ＩＩ線矢視図、図３は要部の縦断面図、図４は図３のＩＶ−ＩＶ線矢視図である。
【００１１】
図１及び図２に示すように、図外のブラケットを介して壁面に固定した金属製ピクチャレール１の端部に合成樹脂製成形品のエンドキャップ２を止めねじ３によりねじ止めする。ピクチャレール１の端部は、背面を除き、エンドキャップ２のピクチャレール側端面に設けた凹部８にきっちり嵌り込む。ピクチャレール１は下半部に底面に開口するスリット５を備えたフック室４を有する。フック室４とスリット５は長手方向にピクチャレール１を貫通する。
【００１２】
フック６は通常のものであり、スリット５からピクチャレール１に脱着することはできない。フック室４に内挿したフック６はスリット５から垂下する。フック６の頭部７はスリット５の内幅より外径の大きい円柱体であり、フック室４内を長手方向に摺動可能である。フック室４のスリット５より上の部分の上下幅はフック６の頭部７の上下幅よりも大きいから、ピクチャレール１内においてフック６は上下方向に遊動可能である。
【００１３】
図３及び図４に示すように、エンドキャップ２に底面に開口するフック出入口９を設ける。フック出入口９はフック６の頭部７が上下方向に挿入可能な大きさである。そのフック出入口９をピクチャレール１のフック室４及びスリット５と連通させる連通路１０を形成する。連通路１０のスリット５と連通する部分に内幅がスリット５と同幅で高さがスリット５より少し高い段差部１１を設ける。段差部１１とスリット５の段差は、フック室４のスリット５より上の上下幅とフック頭部７の上下幅の差に等しいか又はそれより少し小さく設定する。フック出入口９と連通路１０とフック室４の上面と前後面は、段差部１１を除き略面一に連続する。
【００１４】
次に、フックの脱着について説明する。
図３に鎖線矢印で示すように、フック６をピクチャレール１に取り付けたエンドキャップ２の下からフック出入口９に深く垂直に挿入し、ついで、ピクチャレール１の方へ水平に移動すると、フック６の 頭部７をエンドキャップ２の出入口９から段差部１１を越えてピクチャレール１のフック室４に入れることができる。逆に、ピクチャレール１に内挿したフック６をエンドキャップ２側に水平に移動し、そこで少し持ち上げ水平に移動すると、フック６の頭部７は段差部１１を越えてエンドキャップ２のフック出入口９に入るから、そこでフックを下に引くと簡単に外すことができる。
【００１５】
このように、ピクチャレール１の端部にエンドキャップ２を取り付けると、内挿したフック６は自然にピクチャレール１からエンドキャップ２のフック出入口９に入ることはできないから、フック６の自然脱落は防止される。しかし、簡単な操作により、フック出入口９を介してフック６をピクチャレール１に後入れすることも後出しすることも可能である。
【００１６】
【実施例】
第２及び第３実施例について説明する。
図５は第２実施例のエンドキャップを取り付けたピクチャレールの要部縦断面図、図６は図５のＶＩ−ＶＩ線矢視図である。
【００１７】
図５及び図６に示すように、エンドキャップ１２に底面に開口し、水平横向きにしたフック６の頭部７が挿入可能なフック出入口１３を形成する。そのフック出入口１３をピクチャレール１のフック室４とそのスリット５に直接連通させる。フック出入口１３とフック室４の上面及び前後面は略面一に接続する。
【００１８】
フック出入口１３は、フック６の頭部７の垂直断面と略同形であるから、図５に鎖線矢印で示すように、フック６を水平横向きにしてフック６の頭部７をフック出入口１３に下から挿入し、ついでフック６を９０度回転してピクチャレール１へ移動すると、フック６をピクチャレール１に後入れすることができる。この操作を逆にして、エンドキャップ１２において垂直なフック６を９０度回転して水平にすると、フック６をエンドキャップ１２経由でピクチャレール１から後出しすることができる。しかし、フック６が自然にピクチャレール１からエンドキャップ１２のフック出入口１３に入ることはできない。
【００１９】
上記以外の構成及び効果は第１実施例のものと同じである。
【００２０】
図７は第３実施例のエンドキャップを取り付けたピクチャレールの要部縦断面図、図８は図７のＶＩＩＩ−ＶＩＩＩ線矢視図である。
【００２１】
図７及び図８に示すように、エンドキャップ１４は底面に開口するフック出入口１５を有する。フック出入口１５は、フック６を上下方向に挿入することができる大きさであり、直接ピクチャレール１のフック室４とそのスリット５に略面一に連通させる。フック出入口１５の内部には板ばね状のストッパ１６が一体に形成され、そのストッパ１６は下から押し上げられると弾性的にはね上がる。このストッパ１６はフック６が自然にピクチャレール１からエンドキャップ１４のフック出入口１５に入ることを阻止する。
【００２２】
図７に鎖線矢印で示すように、後入れするフック６を下からフック出入口１５に押し込むと、フック６の頭部７はストッパ１６をはね上げて入り込む。ついで、フック６をピクチャレール１側へ水平に移動させると、フック６はピクチャレール１のフック室４に入る。内挿したフック６を後出しするときは、フック６をエンドキャップ１５内へ移動し、フック出入口１５に下からドライバを入れてストッパ１６をはね上げて、エンドキャップ１５からフック６を外す。
【００２３】
上記以外の構成及び効果は前記実施例と同じである。
【００２４】
【発明の効果】
上記のとおり、本発明のエンドキャップは、底面に開口してピクチャレールの内部と連通するフック出入口を備え、そのフック出口は操作するとフックを通す下、自然にはフックを通さないから、内挿したフックの自然脱落を防止すると共に、簡単な操作によりピクチャレールのスリットから脱着することができない通常のフックをピクチャレールに後入れ後出しすることができるという優れた効果を奏する。
【図面の簡単な説明】
【図１】本発明第１実施例のキャップを取り付けたピクチャレールの正面図、
【図２】図１のＩＩ−ＩＩ線矢視図、
【図３】図１のピクチャレールの要部縦断面図、
【図４】図３のＩＶ−ＩＶ線矢視図、
【図５】第２実施例のキャップを取り付けたピクチャレールの要部縦断面図、
【図６】図５のＶＩ−ＶＩ線矢視図、
【図７】第３実施例のキャップを備えたピクチャレールの要部縦断面図、
【図８】図７のＶＩＩＩ−ＶＩＩＩ線矢視図、
【符号の説明】
１：ピクチャレール
２：エンドキャップ
３：止めねじ
４：フック頭部室
５：スリット
６：フック
７：頭部
８：凹部
９：フック出入口
１０：連通路
１１：段差部
１２：エンドキャップ
１３：フック出入口
１４：エンドキャップ
１５：フック出入口
１６：ストッパ
【図１】
0004601199.tif 000002
【図２】
0004601199.tif 000003
【図３】
0004601199.tif 000004
【図４】
0004601199.tif 000005
【図５】
0004601199.tif 000006
【図６】
0004601199.tif 000007
【図７】
0004601199.tif 000008
【図８】
0004601199.tif 000009